(57)【特許請求の範囲】
【請求項１】
放送番組データ及び放送番組に関する番組情報データを受信する受信手段と、
前記受信手段により受信された前記番組情報データに基づいて、放送番組に関する複数の番組情報がマトリクス状に配列されて成る番組表を作成する作成手段と、
前記作成手段により作成された前記番組表を表示部に表示する表示手段と、を備える本体部と、
マトリクス状に配設された複数のキーを備える番組表対応領域が、少なくとも一部に設けられたキー操作部を備えるリモコン装置と、
を備え、
前記番組表対応領域における前記複数のキーの各々の識別情報と、前記番組表における各番組情報の表示位置情報と、を対応づけて記憶する記憶手段と、
前記番組表対応領域に備わる前記キーの操作に基づいて、前記記憶手段において、操作された当該キーの識別情報に対応付けられている前記表示位置情報に基づく前記番組表の表示位置に表示された番組情報の放送番組を特定する特定手段と、
を備え、
前記作成手段により作成される前記番組表における前記番組情報の配列パターンは、前記番組表対応領域における前記複数のキーの配列パターンと同じであり、
前記記憶手段は、同一配列位置に配置された、前記番組表対応領域における前記キーの識別情報と、前記番組表における前記番組情報の表示位置情報とを、対応付けて記憶し、
前記表示手段は、前記キー操作部における前記番組表対応領域の各キーの配列状態を示す配列画像と前記番組表の画像とを、前記配列画像における各キーと前記番組表の画像における各番組情報とが視認可能な状態で重ねて表示させる、
ことを特徴とする放送受信機。
【請求項２】
前記表示手段は、前記配列画像と重ね合わせて表示させる前記番組表の画像の透過率を、ユーザが設定できるように構成されていることを特徴とする請求項１記載の放送受信機。
【請求項３】
前記番組表対応領域に備わる前記キーは、数字キーであり、
前記番組表対応領域に備わる当該数字キーに対応する前記表示位置に表示される番組情報の放送番組を放送する放送局に割り当てられたチャンネル番号と、当該数字キーの数字とが一致することを特徴とする請求項１または２に記載の放送受信機。
【発明の詳細な説明】
【技術分野】
【０００１】
本発明は、放送受信機に関する。
【背景技術】
【０００２】
デジタル放送の分野では、放送番組データとともに、放送番組に関する番組情報データ（ＳＩ（Service Information：番組配列情報））を伝送している。番組情報データは、番組のタイトルや、チャンネル、放送局、ジャンル、放送開始時刻・放送終了時刻、出演者、番組内容等の各種情報を含み、デジタル放送の受信側では、この番組情報に基づいてＥＰＧ（電子番組ガイド）が作成され、ユーザに提供される。
【０００３】
例えば、特許文献１には、チャンネルを縦方向に並べるチャンネル情報表示領域と、各チャンネル情報表示領域に表示される各チャンネルで放送される番組情報を横方向に時系列で並べる番組情報表示領域と、番組表の表示対象である時刻を示す時刻表示領域とから構成される番組表が提案されている。この番組表では、各チャンネルにリモコンのチャンネル選択ボタンを対応させることで、放送される予定にある番組と、各番組の視聴するためのチャンネル選択ボタンとを、ユーザに認識させる。
【特許文献１】特開２００５−５１６０３号公報
【発明の開示】
【発明が解決しようとする課題】
【０００４】
しかしながら、上記特許文献１は、リモコンのチャンネル選択ボタンを、単一の番組にではなく、各チャンネルに割り当てている。すなわち、各チャンネルで放送される一つ一つの番組を選択するためには、視聴したい番組のチャンネルに対応付けられたチャンネル選択ボタンを押下してチャンネルを選択した後に、特定の番組を選択するための更なる操作を行わなければならないため、操作手順が多く、操作が煩雑であるという問題があった。
また、チャンネル選択ボタンがどのチャンネルに割り当てられているかを一見しただけでは把握し難く、番組詳細情報の表示・録画予約・視聴予約等のための番組の選択操作が容易でないという問題があった。
【０００５】
本発明の課題は、リモコン装置に備わるキーの配列と、番組表における番組の配列を、視覚的に容易に対応付けることができ、番組の選択を容易に行うことができる放送受信機を提供することである。
【課題を解決するための手段】
【０００６】
上記課題を解決するため、請求項１に記載の発明は、放送受信機において、放送番組データ及び放送番組に関する番組情報データを受信する受信手段と、
前記受信手段により受信された前記番組情報データに基づいて、放送番組に関する複数の番組情報がマトリクス状に配列されて成る番組表を作成する作成手段と、
前記作成手段により作成された前記番組表を表示部に表示する表示手段と、を備える本体部と、
マトリクス状に配設された複数のキーを備える番組表対応領域が、少なくとも一部に設けられたキー操作部を備えるリモコン装置と、
を備え、
前記番組表対応領域における前記複数のキーの各々の識別情報と、前記番組表における各番組情報の表示位置情報と、を対応づけて記憶する記憶手段と、
前記番組表対応領域に備わる前記キーの操作に基づいて、前記記憶手段において、操作された当該キーの識別情報に対応付けられている前記表示位置情報に基づく前記番組表の表示位置に表示された番組情報の放送番組を特定する特定手段と、
を備え、
前記作成手段により作成される前記番組表における前記番組情報の配列パターンは、前記番組表対応領域における前記複数のキーの配列パターンと同じであり、
前記記憶手段は、同一配列位置に配置された、前記番組表対応領域における前記キーの識別情報と、前記番組表における前記番組情報の表示位置情報とを、対応付けて記憶し、
前記表示手段は、前記キー操作部における前記番組表対応領域の各キーの配列状態を示す配列画像と前記番組表の画像とを、前記配列画像における各キーと前記番組表の画像における各番組情報とが視認可能な状態で重ねて表示させる、
ことを特徴とする。
【０００７】
請求項２に記載の発明は、請求項１に記載の放送受信機において、前記表示手段は、前記配列画像と重ね合わせて表示させる前記番組表の画像の透過率を、ユーザが設定できるように構成されていることを特徴とする。
【０００８】
請求項３に記載の発明は、請求項１又は２に記載の放送受信機において、前記番組表対応領域に備わる前記キーは、数字キーであり、
前記番組表対応領域に備わる当該数字キーに対応する前記表示位置に表示される番組情報の放送番組を放送する放送局に割り当てられたチャンネル番号と、当該数字キーの数字とが、一致することを特徴とする。
【発明の効果】
【００１０】
本発明によれば、本体部に備わる受信手段により、放送番組データ及び放送番組に関する番組情報データが受信され、作成手段により、受信手段により受信された番組情報データに基づいて、放送番組に関する複数の番組情報がマトリクス状に配列されて成る番組表が作成され、表示手段により、作成手段により作成された番組表が表示部に表示され、リモコン装置に、マトリクス状に配設された複数のキーを備える番組表対応領域が、少なくとも一部に設けられたキー操作部が備わる。また、記憶手段により、番組表対応領域における複数のキーの各々の識別情報と、番組表における各番組情報の表示位置情報と、が対応づけられて記憶され、特定手段により、番組表対応領域に備わるキーの操作に基づいて、記憶手段において、操作された当該キーの識別情報に対応付けられている表示位置情報に基づく番組表の表示位置に表示された番組情報の放送番組が特定される。また、作成手段により作成される番組表における番組情報の配列パターンは、番組表対応領域における複数のキーの配列パターンと同じであり、記憶手段により、同一配列位置に配置された、番組表対応領域におけるキーの識別情報と、番組表における番組情報の表示位置情報とが、対応付けられて記憶されている。
したがって、放送受信機において、リモコン装置の番組表対応領域に備わる複数のキーと、表示部に表示される番組表を構成する番組情報とが、同じ配列パターンのマトリクス状に配列されるため、リモコン装置に備わるキーの配列と、番組表における番組の配列を、視覚的に容易に対応付けることができる。
また、リモコン装置の番組表対応領域において、番組表における所望の放送番組の番組情報と同一配列位置に配列されたキーを操作すれば、当該所望の放送番組が特定されることとなって、番組の選択を容易に行うことが可能となる。
【発明を実施するための最良の形態】
【００１１】
以下、本発明の実施の形態を、図面を参照しながら詳細に説明する。本実施形態では、放送受信機として、テレビジョン受像機１００を例に説明を行う。
【００１２】
図１は、本実施形態におけるテレビジョン受像機１００の要部構成を例示するブロック図である。
本実施形態のテレビジョン受像機１００は、図１に示すように、リモコン装置１と、このリモコン装置１により遠隔操作される本体部２と、を備えて構成されている。
【００１３】
リモコン装置１には、ユーザが本体部２に対して各種指示を入力するための複数のキーを備えるキー操作部１１が設けられている。
キー操作部１１には、例えば、図２に示すように、電源キー、画面表示キー、入力切替キー、「１」〜「１２」の数字が割り当てられた数字キー、地上アナログ切替キー、地上デジタル切替キー、ＢＳ切替キー、ＣＳ１切替キー、ＣＳ２切替キー、ＥＰＧ表示キー、番組内容表示キー、本体設定キー、音声切替キー、消音キー、戻るキー、上キー・下キー・左キー・右キーから成る上下左右キー、決定キー、チャンネルアップキー及びチャンネルダウンキーから成るチャンネルアップダウンキー、ボリュームアップキー及びボリュームダウンキーから成るボリュームアップダウンキー、字幕表示キー、映像切替キー、予約キー、検索キー等が備わる。
【００１４】
キー操作部１１に備わるこれらのキーの各々には、識別情報が割り当てられており、所定の記憶領域に記憶されている。そして、ユーザによりキー操作が行われると、操作されたキーの識別情報が読み出されて、当該識別情報に対応するリモコン信号が生成される。そして、生成されたリモコン信号が図示しない送信部から送信され、本体部２の前面パネル等に設けられたリモコン信号受光部３において受信される。
各キーに割り当てられている識別情報は、例えば、電源キー「Ｋ１」、画面表示キー「Ｋ２」、入力切替キー「Ｋ３」、地上アナログ切替キー「Ｋ４」、「１」〜「３」の数字キー「Ｋ５」〜「Ｋ７」、地上デジタル切替キー「Ｋ８」、「４」〜「６」の数字キー「Ｋ９」〜「Ｋ１１」、ＢＳ切替キー「Ｋ１２」、「７」〜「９」の数字キー「Ｋ１３」〜「Ｋ１５」、ＣＳ１切替キー「Ｋ１６」、「１０」〜「１２」の数字キー「Ｋ１７」〜「Ｋ１９」、ＣＳ２切替キー「Ｋ２０」、ＥＰＧ表示キー「Ｋ２１」、番組内容表示キー「Ｋ２２」、本体設定キー「Ｋ２３」、音声切替キー「Ｋ２４」、消音キー「Ｋ２５」、戻るキー「Ｋ２６」、上キー「Ｋ２７」、下キー「Ｋ２８」、左キー「Ｋ２９」、右キー「Ｋ３０」、決定キー「Ｋ３１」、チャンネルアップキー「Ｋ３２」、ボリュームダウンキー「Ｋ３３」、ボリュームアップキー「Ｋ３４」、ボリュームダウンキー「Ｋ３５」、字幕表示キー「Ｋ３６」、映像切替キー「Ｋ３７」、予約キー「Ｋ３８」、検索キー「Ｋ３９」等である。
【００１５】
キー操作部１１には、少なくとも一部に、マトリクス状に配設された複数の数字キーを備える番組表対応領域Ｒが設けられている。
例えば、図３のキー操作部１１では、マトリクス状に配設された「０」〜「１２」の数字キーが備わる太枠内の領域が、番組表対応領域Ｒと設定されている。
また、番組表対応領域Ｒは、数字キーが備わる領域に限られず、複数のキーがマトリクス状に配列された領域であれば良い。例えば、図４のキー操作部１１では、マトリクス状に配設された「２」「３」「５」「６」「１１」「１２」の数字キー、地図デジタル切替キー、ＢＳ切替キー、ＣＳ１切替キー、ＣＳ２切替キーが備わる太枠内の領域が、番組表対応領域Ｒと設定されている。
図２〜図４のキー操作部１１に示すように、番組表対応領域Ｒにおける複数のキーは、例えば、４（行）×３（列）の配列パターンのマトリクス状に配設されている。
【００１６】
本体部２は、リモコン装置１からのリモコン信号を受信するリモコン信号受光部３、放送信号を受信するアンテナ４、アンテナ４により受信された放送信号から所定の放送信号を選局する受信手段としてのチューナ部５、チューナ部５により選局された放送信号をトランスポートストリーム（ＴＳ）に復調する復調部６、復調部６により復調されたＴＳを分離する分離部７、分離部７により分離されたストリームを復号するビデオデコーダ８及びオーディオデコーダ９、分離部７により分離されたＳＩ（番組情報データ）を復号するＥＰＧデコーダ１０、ビデオデコーダ８により復号された映像信号に対して所定の映像処理を行う映像処理部１１、オーディオデコーダ９により復号された音声信号に対して所定の音声処理を行う音声処理部１２、映像処理部１１により処理された映像信号にＯＳＤデータを付加するＯＳＤ回路１３、映像処理部１１により処理された映像信号を出力する表示手段としての表示部１４、音声処理部１２により処理された音声信号を出力する音声出力部１５、テレビジョン受像機１００全体を統括制御する制御部１６等を備えており、各部はバス１７により接続されている。
【００１７】
リモコン信号受光部３は、例えば、図示は省略するが、フォトダイオード、ＳＵＢＣＰＵ、増幅部、復調部、デコーダ等を備えて構成されており、リモコン装置１から送信されたリモコン信号を、前面パネルに設けられたフォトダイオードにおいて受信すると、ＳＵＢＣＰＵの制御により、増幅部により増幅した後に復調部において復調し、さらに、デコーダにより波形整形、誤り訂正等の各種処理を行って、制御部１６に対して出力する。制御部１６では、入力されたリモコン信号から識別情報を取得し、取得した識別情報に基づいて操作されたキーの判別を行う。
【００１８】
アンテナ４は、例えば、地上アナログアンテナ、地上デジタルアンテナ、ＢＳアンテナ、ＣＳアンテナ等を備えて構成されており、屋外において所定の方向に向けて配置され、図示しないテレビジョン放送局等から発信される高周波（RF）のデジタルテレビジョン放送信号を受信する。
チューナ部５は、例えば、図示は省略するが、高周波増幅回路と、局部発振回路及び混合回路から成る周波数変換回路と、を備えて構成されており、アンテナ４等により入力されたテレビジョン放送信号を、高周波増幅回路において増幅し、混合回路において局部発振回路から出力される局部発振信号と混合する。さらに、特定の周波数を選局するための制御部１６からの制御出力に応じて、特定周波数帯の中間周波信号（IF信号）を受信し、当該中間周波信号に所定の処理を行って復調部６に出力する。
【００１９】
復調部６は、例えば、制御部１６からの制御に基づいて、チューナ部５から出力された中間周波信号に対してデジタル復調や誤り訂正などの処理を実行し、ＴＳを生成して、分離部７に出力する。
【００２０】
分離部７は、復調部６から入力されるＴＳからビデオストリーム、オーディオストリーム、ＰＳＩ（Program Specific Information:番組特定情報）／番組情報データとしてのＳＩ（Service Information: 番組配列情報）を分離する。そして、ＴＳに含まれるＰＳＩに基づいて、入力されたＴＳから必要なＴＳパケットを分離する。さらに、分離されたＴＳパケットのうち、ＭＰＥＧ２（Moving Picture Experts Group 2）規格下のビデオストリームをビデオデコーダ８に、オーディオストリームをオーディオデコーダ９に、さらに、ＥＰＧ情報として用いられるＳＩをＥＰＧデコーダ１０に出力する。
【００２１】
ここでＰＳＩは、ＰＭＴ（Program Map Table）、ＰＡＴ（Program Association Table）、ＮＩＴ（Network Information Table）、ＣＡＴ（Conditional Access Table）の４つのテーブルであり、番組の選択等に用いられる。
また、ＳＩは、ＳＤＴ（Service Description Table）、ＥＩＴ（Event Information Table）、ＢＡＴ（Bouquet Association Table）、ＴＤＴ（Time Date Table）等の各種テーブルであり、番組情報データとして用いられる。ＳＩには、現在放送中の全放送局の放送番組と、一週間以内に放送予定の全放送局の放送番組とに関する情報（例えば、タイトル、チャンネル、放送局、ジャンル、放送時刻としての放送開始時刻・放送終了時刻、出演者、番組内容等）が含まれ、後述する作成プログラム１６４ｂの実行において、当該番組情報データとしてのＳＩに基づいて番組表が作成される。
【００２２】
ビデオデコーダ８は、分離部７から入力されたビデオストリームを復号し、逆ＤＣＴ変換や動き補償制御等を行い、映像データを生成して映像処理部１１に出力する。また、オーディオデコーダ９は、分離部７から入力されたオーディオストリームを復号し、音声データを生成して音声処理部１２に出力する。
ＥＰＧデコーダ１０は、分離部７から入力された番組情報データを復号して、制御部１６に出力する。制御部１６に入力された番組情報データは、番組情報テーブル１６３２ａに格納されることとなる。
【００２３】
映像処理部１１は、ビデオデコーダ８から入力された映像データに対して、Ｄ／Ａ変換等の各種処理を施し、映像信号を生成する。また、音声処理部１２は、オーディオデコーダ９から入力された音声データに対して、Ｄ／Ａ変換等の各種処理を施し、音声信号を生成する。生成された映像信号は表示部１４に出力され、音声信号は音声出力部１５に出力される。
ＯＳＤ回路１３は、ＥＰＧの表示に際して、制御部１６からの指示出力に応じて、番組情報テーブル１６３２ａに格納された番組情報データから必要なデータを読み出し、読み出したデータに基づいてＥＰＧ表示用データを生成する。そして、生成されたＥＰＧ表示用データを、映像処理部１１から出力される映像信号に合成させ、表示部１４に出力させる。
【００２４】
表示部１４は、例えば、ＬＣＤ（Liquid Crystal Display）、ＰＤＰ（Plasma Display Panel）等の図示しないディスプレイを備え、映像処理部１１から入力された映像信号に基づく映像を当該ディスプレイに表示させる。
音声出力部１５は、例えば、図示しないスピーカ等を備え、音声処理部１２から入力された音声信号に基づく音声を当該スピーカにより出力させる。
【００２５】
制御部１６は、ＣＰＵ（Central Processing Unit）１６１、計時処理を行う計時部１６２等、メモリ部１６３、ＲＯＭ（Read Only Memory）１６４、を備えて構成されている。
【００２６】
ＣＰＵ１６１は、本体部２の各部から入力された入力信号や、リモコン装置１における各種キーの押下操作によって入力された入力操作信号等に応じて、ＲＯＭ１６４に格納された各種プログラムを実行するとともに、実行にかかるプログラムに基づいて本体部２の各部に出力信号を出力することにより、テレビジョン受像機１００の動作全般を統括制御する。
【００２７】
メモリ部１６３は、例えば、ＲＡＭ（Random Access Memory）等の揮発性メモリからなるワークエリア１６３１を備えており、ＣＰＵ１６１によって各種プログラムが実行される際に生じる処理結果や、入力されたデータ等をこのワークエリア１６３１に記憶させる。
【００２８】
また、メモリ部１６３は、ＥＰＲＯＭ（Erasable Programmable ROM）等の不揮発性メモリからなるデータエリア１６３２を備えている。データエリア１６３２には、例えば、番組情報テーブル１６３２ａ及び記憶手段としての対応テーブル１６３２ｂが備わる。
【００２９】
番組情報テーブル１６３２ａは、ＥＰＧデコーダ１０から入力される番組情報データを記憶する。例えば、図５に例示する番組情報テーブル１６３２ａは、各チャンネル「１」〜「１２」に割り当てられている放送局Ａ〜Ｉを記憶しているとともに、各放送局Ａ〜Ｉで放送中の放送番組及び放送予定の放送番組（例えば、次番組、次次番組等）の番組情報データを記憶している。また、割り当てられている放送局がないチャンネルについては、割当てが無い旨が記憶されている。また、図５の番組情報テーブル１６３２ａでは、番組情報データとして、タイトル及び放送時間（放送開始時刻〜放送終了時刻）が記憶されているが、この他の情報（例えば、番組ＩＤ、ジャンル、出演者、番組内容等）が記憶されていても良い。
【００３０】
対応テーブル１６３２ｂは、キー操作部１１における番組表対応領域における数字キーの各々の識別情報と、番組表における各番組情報の表示位置情報と、を対応づけて記憶するテーブルである。当該対応テーブル１６３２ｂは、番組表対応領域Ｒと番組表において、同一配列位置に配置された、番組表対応領域における数字キーの識別情報と、番組表における番組情報の表示位置情報とを対応付けて記憶する。
例えば、番組表対応領域Ｒに「１」〜「１２」の数字キーが備わる場合、図６の対応テーブル１６３２ｂに示すように、数字キー「１」〜「１２」の識別情報（例えば、「Ｋ５」〜「Ｋ７」、「Ｋ９」〜「Ｋ１１」、「Ｋ１３」〜「Ｋ１５」、「Ｋ１７」〜「Ｋ１９」）と、番組表における番組情報の表示位置情報（例えば、「Ｐ１」〜「Ｐ１２」）とが対応付けられることとなる。
また、この対応テーブル１６３２ｂでは、番組表対応領域Ｒと番組表において、同一配列位置に配置された識別情報・表示位置情報同士を対応付けている。例えば、番組表対応領域Ｒにおいて、１行目の左側に配設されている数字キー「１」の識別情報「Ｋ５」には、番組表における表示位置「第１行・第１列」の表示位置情報「Ｐ１」が対応付けられている。また、番組表対応領域Ｒにおいて、２行目の右側に配設されている数字キー「６」の識別情報「Ｋ１１」には、番組表の表示位置「第２行・第３列」の表示位置情報「Ｐ６」が対応付けられている。また、番組表対応領域Ｒにおいて、４行目の中央に配設されている数字キー「１１」の識別情報「Ｋ１８」には、番組表の表示位置「第４行・第２列」の表示位置情報「Ｐ１１」が対応づけられている。
【００３１】
ＲＯＭ１６４は、不揮発性メモリから成るプログラム格納エリアを有しており、具体的には、受信プログラム１６４ａ、作成プログラム１６４ｂ、表示プログラム１６４ｃ、表示切換プログラム１６４ｄ、特定プログラム１６４ｅ、選択プログラム１６４ｆ等を備えている。
【００３２】
受信プログラム１６４ａは、例えば、ＣＰＵ１６１に、放送番組データ及び放送番組に関する番組情報データを受信する機能を実現させるためのプログラムである。
具体的には、ＣＰＵ１６１は、チューナ部５を特定周波数帯に同調させ、当該特定周波数帯のデジタル放送信号を受信する。このデジタル放送信号には、映像データと音声データとから成る放送番組データと、番組情報データとしてのＳＩが多重化されている。受信プログラム１６４ａの実行により受信された番組情報データは、番組情報テーブル１６３２ａに格納される。
ＣＰＵ１６１は、かかる受信プログラム１６４ａを実行することにより、チューナ部５とともに、受信手段として機能する。
【００３３】
作成プログラム１６４ｂは、例えば、ＣＰＵ１６１に、受信プログラム１６４ａの実行により受信された番組情報データに基づいて、放送番組に関する複数の番組情報が、マトリクス状に配列されて成る番組表を作成する機能を実現させるためのプログラムである。当該作成プログラム１６４ｂにより作成される番組表における番組情報の配列パターンは、番組表対応領域Ｒにおける複数のキー（例えば、数字キー）の配列パターンと同じである。
具体的には、ＣＰＵ１６１は、キー操作部１１において番組表の表示を指示する操作（例えば、ＥＰＧ表示キーの操作等）が行われると、番組情報テーブル１６３２ａに格納されている番組情報データから、各放送局（例えば、放送局Ａ〜Ｉ）において現在放送中の放送番組に関する番組情報データを読み出し、読み出した番組情報データに基づく番組情報がマトリクス状に配列された番組表を作成する。各番組情報には、例えば、放送局、放送時間（放送開始時刻〜放送終了時刻）、タイトル等が含まれる。また、この番組表において、番組情報のセルは、４（行）×３（列）のマトリクスに配列されており、番組表対応領域Ｒにおける複数の数字キーの配列パターンと同じ配列パターンとなっている。また、ＣＰＵ１６１は、番組表の作成と併せて、作成した番組表の各表示位置のセルに格納した番組情報を、ワークエリア１６３１等の所定の領域に一時的に記憶する。
ＣＰＵ１６１は、かかる作成プログラム１６４ｂを実行することにより、作成手段として機能する。
【００３４】
表示プログラム１６４ｃは、例えば、ＣＰＵ１６１に、作成プログラム１６４ｂの実行により作成された番組表を表示部１４に表示する機能を実現させるためのプログラムである。当該表示プログラム１６４ｃにおいて、ＣＰＵ１６１は、キー操作部１１における番組表対応領域Ｒの各キー（例えば、数字キー）の配列状態を示す配列画像と、番組表の画像とを、配列画像における各キー（例えば、数字キー）と番組表の画像における各番組情報とが視認可能な状態で重ねて表示させる。
具体的には、ＣＰＵ１６１は、前述の作成プログラム１６４ｂの実行により、番組情報のセルが、４（行）×３（列）のマトリクスに配列されて成る番組表が作成されると、作成された番組表を透過画像として、表示部１４に出力して表示させる。また、ＣＰＵ１６１は、透過画像として表示された番組表の背面側に、番組表対応領域Ｒにおいて番組表と同じ配列パターン（すなわち、４（行）×３（列）のマトリクス）に配列された数字キーの配列状態を示す配列画像を、壁紙画像として表示させる。
ＣＰＵ１６１は、かかる表示プログラム１６４ｃを実行することにより、ＯＳＤ回路１３とともに、表示手段として機能する。
【００３５】
図７は、図３のキー操作部１１において太枠で示す領域を番組表対応領域Ｒとした場合に、表示プログラム１６４ｃの実行により表示部１４に表示される番組表を例示する図である。図７の番組表では、放送局Ａ〜Ｉにおいて、現在（例えば、「2007/4/19 PM3:35」）放送中の放送番組の番組情報が、４（行）×３（列）のマトリクスに配列されており、当該番組表の背面に、番組表対応領域Ｒに備わる同一の配列パターンのマトリクスに配列された数字キーの配列画像が重ねて表示されている。番組表は透過画像として表示されており、ユーザは、番組表の各番組情報と、配列画像の各数字キー「０」〜「１２」を視認することが出来る。
また、図８は、図４のキー操作部１１において太枠で示す領域を番組表対応領域Ｒとした場合に、表示プログラム１６４ｃの実行により表示部１４に表示される番組表を例示する図である。図８の番組表では、放送局Ａ〜Ｉにおいて、現在放送中の放送番組の番組情報が、４（行）×３（列）のマトリクスに配列されており、当該番組表の背面に、番組表対応領域Ｒに備わる同一の配列パターンのマトリクスに配列されたキーの配列画像が重ねて表示されている。番組表は透過画像として表示されており、ユーザは、各番組情報と、各キー（すなわち、「２」「３」「５」「６」「１１」「１２」の数字キー、地図デジタル切替キー、ＢＳ切替キー、ＣＳ１切替キー、ＣＳ２切替キー）を視認することが出来る。
【００３６】
さらに、番組表では、番組表の各放送局Ａ〜Ｉに割り当てられているチャンネル番号と、配列画像の数字キーの数字とが一致している。すなわち、例えば、放送局Ａにチャンネル番号「１」、放送局Ｂにチャンネル番号「２」、放送局Ｃにチャンネル番号「４」、放送局Ｄにチャンネル番号「５」、放送局Ｅにチャンネル番号「６」、放送局Ｆにチャンネル番号「７」、放送局Ｇにチャンネル番号「８」、放送局Ｈにチャンネル番号「９」、放送局Ｉにチャンネル番号「１２」が割り当てられている場合、図７に示すように、各放送局Ａ〜Ｉの番組情報のセルの背面側に表示されるリモコンの配列画像は、各放送局Ａ〜Ｉに割り当てられたチャンネル番号と同じ数字となるように配列されている。
【００３７】
さらに、番組表では、放送局が割り当てられていないチャンネルについて、対応するセルに番組情報を表示させずに空欄として、そのセルに対応するキーでは番組選択ができないことが示されている。すなわち、例えば、チャンネル番号「３」「１０」「１１」のチャンネルで放送が行われていない場合、図７に示すように、数字キー「３」「１０」「１１」に対応する表示位置「第１行・第３列」「第４行・第１列」「第４行・第２列」のセルには番組情報が表示されず、配列画像の数字キーのみが表示されている。また、図８に示すように、地上デジタル切替キー、数字キー「１１」「１２」に対応する表示位置「第１行・第３列」「第４行・第１列」「第４行・第２列」のセルには番組情報が表示されず、配列画像のキーのみが表示されている。
また、放送局が割り当てられていないチャンネルについて、割り当てがない旨を、対応するセルに表示させても良い。また、番組表において、放送が行われていないチャンネルが割り当てられたセルには、配列画像の数字キーを表示させないように構成しても良い。
【００３８】
表示切換プログラム１６４ｄは、例えば、ＣＰＵ１６１に、キー操作部１１における操作に基づいて、表示プログラム１６４ｃの実行により表示部１４に表示された番組表を、次に放送される放送番組に関する番組表に切り換えて表示する機能を実現させるためのプログラムである。
例えば、ユーザが、キー操作部１１において、次の番組表に切り換えるための操作（例えば、下キーの操作）を行うと、ＣＰＵ１６１は、前述の作成プログラム１６４ｂを実行して、番組情報テーブル１６３２ａから、各放送局（例えば、放送局Ａ〜Ｉ）において次に放送する放送番組に関する番組情報データを読み出し、読み出した番組情報データに基づいて、番組情報をマトリクス状に配列した番組表を作成する。そして、作成された番組表を、前述の表示プログラム１６４ｃの実行により、表示部１４に表示させ、表示部１４の番組表を切り換える。
例えば、図７の番組表が表示部１４に表示された状態で、ユーザが次の番組表に切り換えるための操作（例えば、下キーの操作）を行うと、図９の番組表が表示部１４に表示される。図９の番組表では、各放送局Ａ〜Ｉにおいて、図７における番組情報の放送番組の次に放送される放送番組の番組情報が配列されている。
また、更に、図９の番組表が表示部１４に表示された状態で、ユーザが次の番組表に切り換えるための操作（例えば、下キーの操作）を行うと、図１０の番組表が表示部１４に表示される。図１０の番組表では、各放送局Ａ〜Ｉにおいて、図９における番組情報の放送番組の次に放送される放送番組の番組情報が配列されている。
ＣＰＵ１６１は、かかる表示切換プログラム１６４ｄを実行することにより、ＯＳＤ回路１３とともに、表示切換手段として機能する。
【００３９】
特定プログラム１６４ｅは、例えば、ＣＰＵ１６１に、番組表対応領域Ｒに備わるキー（例えば、数字キー）の操作に基づいて、対応テーブル１６３２ｂ（記憶手段）において、操作されたキー（例えば、数字キー）の識別情報に対応づけられている表示位置情報に基づく番組表の表示位置に表示された番組情報の放送番組を特定する機能を実現させるためのプログラムである。
具体的には、ユーザは、表示プログラム１６４ｃの実行により表示部１４に表示された番組表において、所望の放送番組の番組情報に重ねられて表示されている配列画像のキーを、キー操作部１１において操作する。ＣＰＵ１６１は、リモコン装置１から入力されるリモコン信号から、操作されたキーの識別情報を取得すると、対応テーブル１６３２ｂを参照し、取得した識別情報が対応付けられている表示位置情報を読み出す。そして、作成プログラム１６４ｂの実行の際にワークエリア１６３１に一時的に記憶した、各表示位置のセルに格納した番組情報を記憶するテーブルに基づいて、読み出した表示位置情報に基づく番組表の表示位置に表示されている番組情報を判別し、ユーザが選択した放送番組を特定する。
例えば、図９の番組表を参照して、放送局Ｄにおいて放送予定のタイトル「ＭＭＭ」の放送番組を選択する場合、ユーザは、当該放送番組の番組情報の背面側に表示されている配列画像のキー「５」を、キー操作部１１において操作する。すると、ＣＰＵ１６１は、制御部１６に入力されるリモコン信号から、操作されたキー「５」の識別情報「Ｋ１０」を取得する。そして、対応テーブル１６３２ｂにおいて、取得した識別情報「Ｋ１０」が対応付けられている表示位置情報「Ｐ５」を読み出す。さらに、ワークエリア１６３１に記憶されている番組表の各表示位置のセルに格納した番組情報を記憶するテーブルに基づいて、当該表示位置情報「Ｐ５」に基づく番組表の表示位置「第２行・第２列」に表示されている番組情報を判別し、ユーザが選択した放送番組「ＭＭＭ」を特定する。すなわち、ユーザが、番組表において、選択したい放送番組の番組情報に重ねられて表示されている配列画像のキーを参照して、キー操作部１１において当該キー操作すれば、その放送番組が特定されることとなる。
ＣＰＵ１６１は、かかる特定プログラム１６４ｅを実行することにより、特定手段として機能する。
【００４０】
選択プログラム１６４ｆは、例えば、ＣＰＵ１６１に、特定プログラム１６４ｅの実行により特定された番組情報の放送番組に対する処理内容を、ユーザに選択させる機能を実現させるためのプログラムである。
具体的には、ＣＰＵ１６１は、特定プログラム１６４ｅの実行により、放送番組が特定されると、表示部１４に、図１１に例示する画面を表示し、特定された番組の詳細情報（例えば、出演者、番組内容）等の表示、録画予約の設定、視聴予約の設定等のうちから、特定された放送番組への操作内容をユーザに選択させる。また、特定された番組情報の放送番組が、現在放送中の番組であれば、選局が可能であっても良い。
【００４１】
次に、図１２のフローチャートを参照しながら、受信プログラム１６４ａ、作成プログラム１６４ｂ、表示プログラム１６４ｃ、表示切換プログラム１６４ｄの実行による番組表作成・表示処理について説明する。なお、本処理の実行に際して、放送番組データとともに送信される番組情報データが受信されて番組情報テーブル１６３２ａに記憶されているものとする。また、本処理は、図３のキー操作部１１に太枠で示す領域（すなわち、数字キー「１」〜「１２」を備える領域）を、番組表対応領域Ｒとする場合に実行される処理である。
【００４２】
まず、ステップＳ１において、ＣＰＵ１６１は、表示部１４に番組表を表示中であるか否かを判断する。ＣＰＵ１６１は、ステップＳ１において、番組表を表示中でないと判断すると（ステップＳ１；Ｎｏ）、ステップＳ２において、番組表表示の指示が有るか否かを判断する。ＣＰＵ１６１は、番組表表示の指示があると判断すると（ステップＳ２；Ｙｅｓ）、ステップＳ３において、現在放送中の番組を番組表作成対象の番組Ｂとし、ステップＳ６に進む。
一方、ＣＰＵ１６１は、ステップＳ１において、番組表を表示中であると判断すると（ステップＳ１；Ｙｅｓ）、ステップＳ４において、次の番組への切換指示が有るか否かを判断する。ＣＰＵ１６１は、ステップＳ４において、次の番組への切換指示が無いと判断すると（ステップＳ４；Ｎｏ）、ステップＳ１に戻る。一方、次の番組への切換指示が有ると判断すると（ステップＳ４；Ｙｅｓ）、ステップＳ５において、表示中の番組表に表示されている番組の次に放送される番組を、番組表作成対象の番組Ｂとし、ステップＳ６に進む。
【００４３】
ステップＳ６において、ＣＰＵ１６１は、データエリア１６３２に備わる番組情報テーブル１６３２ａにアクセスし、数字キーＡ（初期値=１）に割り当てられているチャンネルＡ（初期値=１）を選択する。そして、ステップＳ７において、選択したチャンネルＡに割り当てられている放送局（サービス）が存在するか否かを判断する。ＣＰＵ１６１は、ステップＳ７において、チャンネルＡに割り当てられている放送局が存在しないと判断すると（ステップＳ７；Ｎｏ）、ステップＳ８において、放送局が無い旨を、数字キーＡの識別情報が割り当てられた表示位置情報に基づく表示位置の領域に格納し（又は、数字キーＡの識別情報が割り当てられた表示位置情報に基づく表示位置の領域を空欄とし）、ステップＳ１２に進む。
一方、ＣＰＵ１６１は、ステップＳ７において、チャンネルＡに割り当てられている放送局が存在すると判断すると（ステップＳ７；Ｙｅｓ）、ステップＳ９において、チャンネルＡに割り当てられている放送局に、番組表作成対象の番組Ｂの番組情報が存在するか否かを判断する。ＣＰＵ１６１は、ステップＳ９において、番組Ｂの番組情報が存在すると判断すると（ステップＳ９；Ｙｅｓ）、ステップＳ１０において、その番組情報を、数字キーＡの識別情報が割り当てられた表示位置情報に基づく表示位置の領域に格納し、ステップＳ１２に進む。
一方、ＣＰＵ１６１は、ステップＳ９において、番組Ｂの番組情報が存在しないと判断すると（ステップＳ９；Ｎｏ）、ステップＳ１１において、番組情報が無い旨を、数字キーＡの識別情報が割り当てられた表示位置情報に基づく表示位置の領域に格納し（又は、数字キーＡの識別情報が割り当てられた表示位置情報に基づく表示位置の領域を空欄とし）、ステップＳ１２に進む。
【００４４】
ステップＳ１２において、ＣＰＵ１６１は、次数字キーＡ+１に割り当てられているチャンネルＡ+１が存在するか否かを判断する。ＣＰＵ１６１は、次数字キーＡ+１に割り当てられているチャンネルＡ+１が存在すると判断すると（ステップＳ１２；Ｙｅｓ）、ステップＳ１３において、次数字キーＡ+１に割り当てられたチャンネルＡ+１を選択するとともに、Ａ=Ａ+１とし、ステップＳ７に戻る。
一方、ＣＰＵ１６１は、ステップＳ１２において、次数字キーＡ+１に割り当てられているチャンネルＡ+１が存在しないと判断すると（ステップＳ１２；Ｎｏ）、ステップＳ１４において、番組情報の配列処理が終了したものとして、作成した番組表と、リモコン装置１の番組表対応領域Ｒの配列画像とを、重ね合わせて表示部１４に表示させ、本処理を終了する。
【００４５】
次に、図１３のフローチャートを参照しながら、特定プログラム１６４ｅ、選択プログラム１６４ｆの実行による番組特定処理について説明する。
【００４６】
まず、ステップＳ２１において、ＣＰＵ１６１は、リモコン信号受光部３から制御部１６に入力されるリモコン信号を監視して、リモコン装置１においてキー操作が有るか否かを判断する。ＣＰＵ１６１は、ステップＳ２１において、リモコン装置１においてキー操作があると判断すると（ステップＳ２１；Ｙｅｓ）、ステップＳ２２において、表示部１４において、番組表を表示中であるか否かを判断する。そして、番組表を表示中でないと判断すると（ステップＳ２；Ｎｏ）、ステップＳ２３において、通常のリモコン操作として、入力されたリモコン信号に基づく処理を行い、ステップＳ１に戻る。
一方、ＣＰＵ１６１は、ステップＳ２２において、番組表を表示中であると判断すると（ステップＳ２２；Ｙｅｓ）、ステップＳ２４において、操作されたキーは、キー操作部１１における番組表対応領域Ｒに備わるキーであるか否かを判断する。ＣＰＵ１６１は、ステップＳ２４において、操作されたキーが番組表対応領域Ｒに備わるキーでないと判断すると（ステップＳ２４；Ｎｏ）、ステップＳ２３に戻る。一方、ＣＰＵ１６１は、ステップＳ２４において、操作されたキーが番組表対応領域Ｒに備わるキーであると判断すると（ステップＳ２４；Ｙｅｓ）、ステップＳ２５に進む。
【００４７】
ステップＳ２５において、ＣＰＵ１６１は、対応テーブル１６３２ｂにおいて、操作されたキーの識別情報に対応付けられている表示位置情報を判別する。そして、ステップＳ２６において、判別された表示位置情報に基づく番組表の表示位置に表示されている番組情報を特定する。さらに、ステップＳ２７において、特定された番組情報の放送番組に対する処理内容をユーザに選択させ、本処理を終了する。
【００４８】
以上説明した本実施形態におけるテレビジョン受像機１００によれば、本体部２に備わる受信プログラム１６４ａの実行により、放送番組データ及び放送番組に関する番組情報データが受信され、作成プログラム１６４ｂの実行により、受信プログラム１６４ａの実行により受信された番組情報データに基づいて、放送番組に関する複数の番組情報がマトリクス状に配列されて成る番組表が作成され、表示プログラム１６４ｃの実行により、作成プログラム１６４ｂの実行により作成された番組表が表示部１４に表示され、リモコン装置１に、マトリクス状に配設された複数のキーを備える番組表対応領域Ｒが、少なくとも一部に設けられたキー操作部１１が備わる。また、記憶プログラムの実行により、番組表対応領域Ｒにおける複数のキーの各々の識別情報と、番組表における各番組情報の表示位置情報と、が対応づけられて記憶され、特定プログラム１６４ｅの実行により、番組表対応領域Ｒに備わるキーの操作に基づいて、対応テーブル１６３２ｂにおいて、操作された当該キーの識別情報に対応付けられている表示位置情報に基づく番組表の表示位置に表示された番組情報の放送番組が特定される。また、作成プログラム１６４ｂの実行により作成される番組表における番組情報の配列パターンは、番組表対応領域Ｒにおける複数のキーの配列パターンと同じであり、対応テーブル１６３２ｂにより、同一配列位置に配置された、番組表対応領域Ｒにおけるキーの識別情報と、番組表における番組情報の表示位置情報とが、対応付けられて記憶されている。
したがって、テレビジョン受像機１００において、リモコン装置１の番組表対応領域Ｒに備わる複数のキーと、表示部１４に表示される番組表を構成する番組情報とが、同じ配列パターンのマトリクス状に配列されるため、リモコン装置１に備わるキーの配列と、番組表における番組の配列を、視覚的に容易に対応付けることができる。
また、リモコン装置１の番組表対応領域Ｒにおいて、番組表における所望の放送番組の番組情報と同一配列位置に配列されたキーを操作すれば、当該所望の放送番組が特定されることとなって、番組の選択を容易に行うことが可能となる。
【００４９】
また、表示プログラム１６４ｃの実行により、キー操作部１１における番組表対応領域Ｒの各キーの配列状態を示す配列画像と番組表の画像とが、配列画像における各キーと番組表の画像における各番組情報とが視認可能な状態で重ねて表示される。
すなわち、番組表において、選択したい放送番組の番組情報に重ねられて表示されているキーを参照して、キー操作部１１において当該キー操作すれば、当該選択したい放送番組が選択されることとなる。したがって、ユーザは、何れのキーを操作すれば良いかを一目で容易に把握することができ、ユーザにとって非常に分かりやすく且つ簡易な操作で、放送番組を選択することが可能となる。
【００５０】
また、番組表対応領域Ｒに備わるキーは、数字キーであり、番組表対応領域Ｒに備わる当該数字キーに対応する表示位置に表示される番組情報の放送番組を放送する放送局に割り当てられたチャンネル番号と、当該数字キーの数字とが、一致する。
したがって、ユーザは、放送番組に割り当てられているキーを、混乱することなく、感覚的に容易に把握して、キー操作を行うことができる。
【００５１】
また、表示切換プログラム１６４ｄの実行により、キー操作部１１における操作に基づいて、表示手段により表示部１４に表示された番組表が、次に放送される放送番組に関する番組表に切り換えられて表示される。
したがって、簡単な操作で、表示部１４に表示されている番組表を、次に放送される放送番組に関する番組表に切り換えることができる。
【００５２】
なお、本発明は、上記実施形態に限られることなく、本発明の趣旨を逸脱しない範囲において種々の改良並びに設計の変更を行っても良い。
たとえば、上記実施形態のテレビジョン受像機１００では、初めに、現在放送中の放送番組の番組情報から構成される番組表が表示され、所定の操作（たとえば、下キーの操作）を行う度に、表示部１４上の番組表が、各放送局において次に放送される放送番組に関する番組情報から構成される番組表に切り換えられた。しかしながら、表示部に表示される番組表はこれに限られることなく、例えば、各時間帯に放送される放送番組に関する番組情報が配列されて成る番組表であっても良い。すなわち、例えば、一時間単位の番組表が作成される場合には、所定の操作を行う度に、１８時代に放送される放送番組に関する番組表→１９時代に放送される放送番組に関する番組表→２０時代に放送される放送番組に関する番組表→・・・と順に切り換えられていくこととなる。また、各時間帯に放送される放送番組に関する番組表の一つの放送局において、複数の放送番組が放送される場合には、番組表におけるその放送局のセルを分割し、分割されたセルのそれぞれを特定の操作により別々に特定可能としても良い。特定の操作としては、例えば、配列画像における対応するキーを長押し操作すると、各セルが順に選択され、操作が終わった時点で選択されているセルの放送番組が特定される操作等がある。
また、番組表対応領域Ｒは、キー操作部１１全体に設けられていても良い。また、キー操作部１１における番組表対応領域Ｒを、ユーザに設定させる設定手段が設けられていても良い。
また、番組表は、上記実施形態で例示した４×３のマトリクス状に構成されたものに限られず、５×５、１０×５等、キー操作部１１の番組表対応領域Ｒのキーと同じ配列パターンのマトリクス状に構成されたものであれば良い。
また、配列画像と重ね合わせて表示させる番組表の画像の透過率を、ユーザが設定できるように構成しても良い。
【図面の簡単な説明】
【００５３】
【図１】本実施形態におけるテレビジョン受像機の要部構成を例示するブロック図である。
【図２】リモコン装置の平面図である。
【図３】リモコン装置の平面図である。
【図４】リモコン装置の平面図である。
【図５】番組情報テーブルを例示する図である。
【図６】対応テーブルを例示する図である。
【図７】図３のキー操作部において太枠で示す領域を番組表対応領域とした場合に、表示プログラムの実行により表示部に表示される番組表を例示する図である。
【図８】図４のキー操作部において太枠で示す領域を番組表対応領域とした場合に、表示プログラムの実行により表示部に表示される番組表を例示する図である。
【図９】図７の番組表が表示部に表示された状態で、ユーザが次の番組表に切り換えるための操作を行った場合に、表示部に表示される番組表を例示する図である。
【図１０】図９の番組表が表示部に表示された状態で、ユーザが次の番組表に切り換えるための操作を行った場合に、表示部に表示される番組表を例示する図である。
【図１１】選択プログラムの実行に際して、表示部に表示される画面を例示する図である。
【図１２】番組表作成・表示処理を示すフローチャートである。
【図１３】番組選択処理を示すフローチャートである。
【符号の説明】
【００５４】
１００      テレビジョン受像機（放送受信機）
１          リモコン装置
２          本体部
５          チューナ部（受信手段）
１３        ＯＳＤ回路（表示手段）
１４        表示部
１６１      ＣＰＵ（受信手段、作成手段、表示手段、表示切替手段、特定手段）
１６３１ｂ  対応テーブル（記憶手段）
１６４ａ    受信プログラム（受信手段）
１６４ｂ    作成プログラム（作成手段）
１６４ｃ    表示プログラム（表示手段）
１６４ｄ    表示切換プログラム（表示切換手段）
１６４ｅ    特定プログラム（特定手段）
Ｒ          番組表対応領域
【図１】
0005056237.tif 000002
【図２】
0005056237.tif 000003
【図３】
0005056237.tif 000004
【図４】
0005056237.tif 000005
【図５】
0005056237.tif 000006
【図６】
0005056237.tif 000007
【図７】
0005056237.tif 000008
【図８】
0005056237.tif 000009
【図９】
0005056237.tif 000010
【図１０】
0005056237.tif 000011
【図１１】
0005056237.tif 000012
【図１２】
0005056237.tif 000013
【図１３】
0005056237.tif 000014